【手続補正書】
【提出日】平成18年2月10日(2006.2.10)
【手続補正１】
【補正対象書類名】特許請求の範囲
【補正対象項目名】全文
【補正方法】変更
【補正の内容】
【特許請求の範囲】
【請求項１】
衛星テレビジョン地上システムの屋外ユニットであって、
第１の衛星テレビジョン信号を受け取って、前記第１の衛星テレビジョン信号をブロック・ダウンコンバートするように動作する変換器と、
前記変換器と通信し、前記ブロック・ダウンコンバート済みの第１の衛星テレビジョン信号を粗同調するように動作する粗同調回路と、
前記変換器および前記粗同調回路と通信し、前記第１の衛星テレビジョン信号をブロック・ダウンコンバートするために発振信号を生成して前記変換器に供給するように働き、前記ダウンコンバート済みの第１の衛星テレビジョン信号を粗同調するために前記発振信号を生成して前記粗同調回路に供給するように動作する発振器と、
を備える、前記屋外ユニット。
【請求項２】
前記発振器が、周波数固定発振器を備える、請求項１に記載の屋外ユニット。
【請求項３】
前記粗同調回路が、
前記発振器と通信し、第１の合成信号を生成するように動作する第１の周波数シンセサイザーと、
前記第１の周波数シンセサイザーおよび前記変換器と通信し、前記変換器からの前記ブロック・ダウンコンバート済みの第１の信号と、前記第１の周波数シンセサイザーからの前記第１の合成信号とを受け取って、第１の組合わせ信号を生成するように動作する第１の信号コンバイナと、
前記第１の信号コンバイナと通信し、前記第１の組合わせ信号を受け取って、前記第１の組合わせ信号から第１の粗同調済み信号を通過させるように動作するフィルタと、
を備える、請求項１に記載の屋外ユニット。
【請求項４】
前記変換器が、第１および第２の衛星テレビジョン信号を別々に受け取ってブロック・ダウンコンバートするように働き、前記粗同調回路が前記第１および第２の衛星テレビジョン信号を別々に粗同調するように動作する、請求項１に記載の屋外ユニット。
【請求項５】
前記粗同調回路が、
前記発振器と通信し、第１の合成信号を生成するように動作する第１の周波数シンセサイザーと、
前記第１の周波数シンセサイザーおよび前記変換器と通信し、前記変換器からの前記ブロック・ダウンコンバート済みの第１の信号と、前記第１の周波数シンセサイザーからの前記第１の合成信号とを受け取って、第１の組合わせ信号を生成するように動作する第１の信号コンバイナと、
前記第１の信号コンバイナと通信し、前記第１の組合わせ信号を受け取って、前記第１の組合わせ信号から第１の粗同調済み信号を通過させるフィルタと、
前記発振器と通信し、第２の合成信号を生成するように動作する第２の周波数シンセサイザーと、
前記第２の周波数シンセサイザーおよび前記変換器と通信し、前記変換器からの前記ブロック・ダウンコンバート済みの第２の信号と、前記第２の周波数シンセサイザーからの前記第２の合成信号とを受け取って、第２の組合わせ信号を生成するように動作する第２の信号コンバイナと、
前記第２の信号コンバイナと通信し、前記第２の組合わせ信号を受け取って、前記第２の組合わせ信号から第２の粗同調済み信号を通過させる第２のフィルタと、
を備える、請求項４に記載の屋外ユニット。
【請求項６】
衛星テレビジョン地上システムのための屋外ユニットであって、
第１の衛星テレビジョン信号を受け取ってブロック・ダウンコンバートする手段と、
前記第１の衛星テレビジョン信号を受け取ってブロック・ダウンコンバートする手段と通信し、前記ブロック・ダウンコンバート済みの第１の衛星テレビジョン信号を粗同調する手段と、
前記第１の衛星テレビジョン信号をブロック・ダウンコンバートするために、発振信号を生成して、前記第１の衛星テレビジョンをブロック・ダウンコンバートする手段に供給し、前記ダウンコンバート済みの第１の衛星テレビジョン信号を粗同調するために、前記発振信号を生成して、前記ブロック・ダウンコンバート済みの第１の衛星テレビジョン信号を粗同調する手段に供給する手段と、
を備える、前記屋外ユニット。
【請求項７】
前記発振信号を生成して供給する手段が、周波数固定発振信号を生成して供給する手段を備える、請求項６に記載の屋外ユニット。
【請求項８】
前記ブロック・ダウンコンバート済みの第１の衛星テレビジョン信号を粗同調する手段が、
前記発振信号を生成して供給する手段と通信し、前記発振信号から第１の周波数合成信号を生成する手段と、
前記第１の周波数合成信号を生成する手段および前記第１の衛星テレビジョン信号をブロック・ダウンコンバートする手段と通信し、前記第１の周波数合成信号を前記ブロック・ダウンコンバート済みの第１の衛星テレビジョン信号と組合わせて第１の組合わせ信号を生成する手段と、
前記組合わせる手段と通信し、前記組合わせ信号から粗同調済み信号を濾波する手段と、
を備える、請求項６に記載の屋外ユニット。
【請求項９】
前記屋外ユニットが、
第２の衛星テレビジョン信号を受け取ってブロック・ダウンコンバートする手段と、
前記第２の衛星テレビジョン信号を受け取ってブロック・ダウンコンバートする手段と通信し、前記ブロック・ダウンコンバート済みの第２の衛星テレビジョン信号を粗同調する手段と、
を備え、
前記発振信号を生成して供給する手段が、
前記第２の衛星テレビジョン信号をブロック・ダウンコンバートするために、発振信号を生成して、前記第２の衛星テレビジョン信号をブロック・ダウンコンバートする手段に供給し、前記ダウンコンバート済みの第２の衛星テレビジョン信号を粗同調するために、前記発振信号を生成して、前記ブロック・ダウンコンバート済みの第２の衛星テレビジョン信号を粗同調する手段に供給する手段と、
を備える、請求項６に記載の屋外ユニット。
【請求項１０】
前記粗同調する手段が、
前記発振信号を生成して供給する手段と通信し、前記発振信号から第１の周波数合成信号を生成する手段と、
前記第１の周波数合成信号を生成する手段および前記ダウンコンバートする手段と通信し、前記第１の合成信号を前記ブロック・ダウンコンバート済みの第１の衛星テレビジョン信号と組合わせて第１の組合わせ信号を生成する手段と、
前記組合わせる手段と通信し、前記第１の組合わせ信号から第１の粗同調済み信号を濾波する手段と、
前記発振信号を生成して供給する手段と通信し、前記発振信号から第２の周波数合成信号を生成する手段と、
前記第２の周波数合成信号を生成する手段および前記ダウンコンバートする手段と通信し、前記第２の合成信号を前記ブロック・ダウンコンバート済みの第２の衛星テレビジョン信号と組合わせて第２の組合わせ信号を生成する手段と、
前記組合わせる手段と通信し、前記第２の組合わせ信号から第２の粗同調済み信号を濾波する手段と、
を備える、請求項９に記載の屋外ユニット。
【請求項１１】
衛星テレビジョン地上システムの屋外ユニット中で衛星テレビジョン信号を処理する方法であって、
第１の衛星テレビジョン信号を受け取るステップと、
前記第１の衛星テレビジョン信号をブロック・ダウンコンバートするステップと、
前記ブロック・ダウンコンバート済みの第１の衛星テレビジョン信号を粗同調するステップと、
発振信号を生成するステップと、
前記第１の衛星テレビジョン信号をブロック・ダウンコンバートおよび粗同調するために前記発振信号を利用するステップと、
を含む、前記方法。
【請求項１２】
前記第１の衛星テレビジョン信号をブロック・ダウンコンバートするステップが、
周波数逓倍器信号を生成するステップと、
前記周波数逓倍器信号を前記第１の衛星テレビジョン信号と組合わせるステップと、
前記組合わせ信号を濾波して、前記ブロック・ダウンコンバート済みの衛星テレビジョン信号を得るステップと、
を含み、
前記ブロック・ダウンコンバート済みの第１の衛星テレビジョン信号を粗同調するステップが、
周波数シンセサイザー信号を生成するステップと、
前記周波数シンセサイザー信号を前記ブロック・ダウンコンバート済みの衛星テレビジョン信号と組合わせるステップと、
前記組合わせ信号を濾波して、前記粗同調済みの衛星テレビジョン信号を得るステップと、
を含む、請求項１１に記載の方法。
【請求項１３】
前記方法が、
第２の衛星テレビジョン信号を受け取るステップと、
前記第２の衛星テレビジョン信号をブロック・ダウンコンバートするステップと、
前記ブロック・ダウンコンバート済みの第２の衛星テレビジョン信号を粗同調するステップと、
前記第２の衛星テレビジョン信号をブロック・ダウンコンバートおよび粗同調するために前記発振信号を利用するステップと、
を含む、請求項１１に記載の方法。
【請求項１４】
前記方法が、
前記衛星テレビジョン地上システムの屋内ユニットから制御信号を受け取るステップと、
前記受け取った制御信号を利用して、前記第１および第２の衛星テレビジョン信号のブロック・ダウンコンバートおよび粗同調を制御するステップと、
を含む、請求項１３に記載の方法。
【請求項１５】
前記発振信号を生成するステップが、
前記衛星テレビジョン地上システムの屋内ユニットからマスタ発振信号を受け取るステップと、
前記マスタ発振信号を利用して前記発振信号を生成するステップと、
を含む、請求項１１に記載の方法。
【手続補正２】
【補正対象書類名】明細書
【補正対象項目名】発明の名称
【補正方法】変更
【補正の内容】
【発明の名称】衛星テレビジョン地上システムの屋外ユニットおよび衛星テレビジョン地上システムの屋外ユニット中で衛星テレビジョン信号を処理する方法